【手続補正書】
【提出日】平成30年5月25日(2018.5.25)
【手続補正１】
【補正対象書類名】明細書
【補正対象項目名】０００７
【補正方法】変更
【補正の内容】
【０００７】
本発明の目的は、省電力状態の不要な解除の回避により節電効果を高めることにある。
【手続補正２】
【補正対象書類名】明細書
【補正対象項目名】０００８
【補正方法】変更
【補正の内容】
【０００８】
上記目的を達成するために本発明は、第１電力状態と前記第１電力状態よりも消費電力が少ない第２電力状態とを有し、外部装置と定期的な通信を行う複数の機能を有する画像形成装置であって、前記外部装置との間で通信を行う通信インタフェースと、設定された時間に従って、前記画像形成装置の電力状態を前記第２電力状態から前記第１電力状態に移行させる所定の信号を出力するタイマと、前記通信インタフェースを介して前記外部装置と定期的な通信を行う前記複数の機能の各々について、次に前記外部装置と通信するまでの時間を算出し、前記算出された複数の時間の中から最も短い時間を前記タイマに設定し、前記タイマから出力された前記所定の信号に応じて、前記画像形成装置の電力状態を前記第２電力状態から前記第１電力状態に移行する処理部と、を備えることを特徴とする。
【手続補正３】
【補正対象書類名】明細書
【補正対象項目名】０００９
【補正方法】変更
【補正の内容】
【０００９】
本発明によれば、省電力状態の不要な解除の回避により節電効果を高めることができる。
【手続補正４】
【補正対象書類名】明細書
【補正対象項目名】００３９
【補正方法】変更
【補正の内容】
【００３９】
ステップＳ１０３では、ＣＰＵ３０１は、ネットワーク１０４が有効か、すなわち、ＬＡＮＩ／Ｆ３１４または無線ＬＡＮ Ｉ／Ｆ３１８を通じてサーバ１０５と通信できる状態になっているか否かを判別する。その判別の結果、ＬＡＮＩ／Ｆ３１４及び無線ＬＡＮ Ｉ／Ｆ３１８が使用されておらずネットワーク１０４が有効でない場合は、ＣＰＵ３０１は、クロック制御部３１９へ指示を行い、プリンタ１０３をスリープ状態へ移行させる（ステップＳ１０８）。従ってこの場合は、後述する割り込みタイマ値の設定がなされることなくスリープ状態へ移行する。その後、図１２の処理は終了する。一方、ＬＡＮＩ／Ｆ３１４または無線ＬＡＮ Ｉ／Ｆ３１８が使用されていてネットワーク１０４が有効である場合は、ＣＰＵ３０１は、割り込みタイマ値決定処理（図１３）を実行する（ステップＳ１０４）。割り込みタイマ値の設定については図１３で後述するが、割り込みタイマ値は割り込みタイマ３２０に設定される。
【手続補正５】
【補正対象書類名】特許請求の範囲
【補正対象項目名】全文
【補正方法】変更
【補正の内容】
【特許請求の範囲】
【請求項１】
第１電力状態と前記第１電力状態よりも消費電力が少ない第２電力状態とを有し、外部装置と定期的な通信を行う複数の機能を有する画像形成装置であって、
前記外部装置との間で通信を行う通信インタフェースと、
設定された時間に従って、前記画像形成装置の電力状態を前記第２電力状態から前記第１電力状態に移行させる所定の信号を出力するタイマと、
前記通信インタフェースを介して前記外部装置と定期的な通信を行う前記複数の機能の各々について、次に前記外部装置と通信するまでの時間を算出し、
前記算出された複数の時間の中から最も短い時間を前記タイマに設定し、
前記タイマから出力された前記所定の信号に応じて、前記画像形成装置の電力状態を前記第２電力状態から前記第１電力状態に移行する処理部と、を備えることを特徴とする画像形成装置。
【請求項２】
前記処理部は、前記画像形成装置の電力状態が前記第１電力状態のときに前記時間を算出することを特徴とする請求項１に記載の画像形成装置。
【請求項３】
前記処理部は、前回の定期的な通信時間と現在時間との時間間隔に基づいて前記時間を算出することを特徴とする請求項１または２に記載の画像形成装置。
【請求項４】
前記処理部は、前記画像形成装置の電力状態が前記第２電力状態のときに前記機能の１つを実行することを特徴とする請求項１乃至３のいずれか１項に記載の画像形成装置。
【請求項５】
前記処理部は、ユーザからの指示に基づいて、前記複数の機能のそれぞれを有効／無効に設定することを特徴とする請求項１乃至４のいずれか１項に記載の画像形成装置。
【請求項６】
前記処理部は、ユーザからの指示に基づいて、前記複数の機能のそれぞれについての定期的な通信の時間間隔を設定することを特徴とする請求項１乃至５のいずれか１項に記載の画像形成装置。
【請求項７】
前記機能には、ＳＮＴＰサーバ、ＤＮＳサーバ及びクラウドサーバの少なくともいずれかと定期的に通信する機能が含まれることを特徴とする請求項１乃至６のいずれか１項に記載の画像形成装置。
【請求項８】
当該画像形成装置に接続される情報処理装置で動作するＵＩアプリケーションによるユーザの操作入力を、前記機能の１つに関する設定に反映させることが可能であることを特徴とする請求項１乃至７のいずれか１項に記載の画像形成装置。
【請求項９】
第１電力状態と前記第１電力状態よりも消費電力が少ない第２電力状態とを有し、外部装置と定期的な通信を行う複数の機能を有する画像形成装置であって、
前記外部装置との間で通信を行う通信インタフェースと、
設定された時刻に従って、前記画像形成装置の電力状態を前記第２電力状態から前記第１電力状態に移行させる所定の信号を出力するタイマと、
前記通信インタフェースを介して前記外部装置と定期的な通信を行う前記複数の機能の各々について、次に前記外部装置と通信する時刻を算出し、
前記算出された複数の時刻の中から最も現在時刻に近い時刻を前記タイマに設定し、
前記タイマから出力された前記所定の信号に応じて、前記電力状態を前記第２電力状態から前記第１電力状態に移行する処理部と、を備えることを特徴とする画像形成装置。
【請求項１０】
前記処理部は、前記画像形成装置の電力状態が前記第１電力状態のときに前記時刻を算出することを特徴とする請求項９に記載の画像形成装置。
【請求項１１】
前記処理部は、前回の定期的な通信の実行時刻と現在時刻とに基づいて、次に前記外部装置と通信する時刻を算出する、ことを特徴とする請求項９または１０に記載の画像形成装置。
【請求項１２】
前記処理部は、前記画像形成装置の電力状態が前記第２電力状態のときに前記機能の１つを実行することを特徴とする請求項９乃至１１のいずれか１項に記載の画像形成装置。
【請求項１３】
前記処理部は、ユーザからの指示に基づいて、前記複数の機能のそれぞれを有効／無効に設定することを特徴とする請求項９乃至１２のいずれか１項に記載の画像形成装置。
【請求項１４】
前記処理部は、ユーザからの指示に基づいて、前記複数の機能のそれぞれについての定期的な通信の時間間隔を設定することを特徴とする請求項９乃至１３のいずれか１項に記載の画像形成装置。
【請求項１５】
前記機能には、ＳＮＴＰサーバ、ＤＮＳサーバ及びクラウドサーバの少なくともいずれかと定期的に通信する機能が含まれることを特徴とする請求項９乃至１４のいずれか１項に記載の画像形成装置。
【請求項１６】
当該画像形成装置に接続される情報処理装置で動作するＵＩアプリケーションによるユーザの操作入力を、前記機能の１つに関する設定に反映させることが可能であることを特徴とする請求項９乃至１５のいずれか１項に記載の画像形成装置。
【請求項１７】
第１電力状態と前記第１電力状態よりも消費電力が少ない第２電力状態とを有し、外部装置と定期的な通信を行う複数の機能を有する画像形成装置の制御方法であって、
前記外部装置と定期的な通信を行う前記複数の機能の各々について、前記画像形成装置が次に前記外部装置と通信するまでの時間を算出し、
前記算出された複数の時間の中から最も短い時間を、設定された時間に従って前記画像形成装置の電力状態を前記第２電力状態から前記第１電力状態に移行させる所定の信号を出力するタイマに設定し、
前記タイマから出力された前記所定の信号に応じて、前記画像形成装置の電力状態を前記第２電力状態から前記第１電力状態に移行する、ことを特徴とする画像形成装置の制御方法。
【請求項１８】
第１電力状態と前記第１電力状態よりも消費電力が少ない第２電力状態とを有し、外部装置と定期的な通信を行う複数の機能を有する画像形成装置の制御方法であって、
前記外部装置と定期的な通信を行う前記複数の機能の各々について、前記画像形成装置が次に前記外部装置と通信する時刻を算出し、
前記算出された複数の時刻の中から最も現在時刻に近い時刻を、設定された時刻に従って前記画像形成装置の電力状態を前記第２電力状態から前記第１電力状態に移行させる所定の信号を出力するタイマに設定し、
前記タイマから出力された前記所定の信号に応じて、前記電力状態を前記第２電力状態から前記第１電力状態に移行する、ことを特徴とする画像形成装置の制御方法。
【請求項１９】
請求項１７または１８に記載の画像形成装置の制御方法をコンピュータに実行させることを特徴とするプログラム。